(57)【要約】【課題】吸収性物品を清拭シートと共に包装材によって包装してなる吸収性物品の包装構造において、清拭シートを被覆するシートを、吸収性物品の包装に活用することができる吸収性物品の包装構造を提供すること。【解決手段】肌当接面、非肌当接面及びこれらの間に介在する吸収層を具備する吸収性物品１を、清拭シート６と共に包装材３（４、５）によって包装してなる吸収性物品の包装構造であって、包装材３は、包装構造の内部において、吸収性物品１の前記肌当接面又は前記非肌当接面を被覆すると共に、清拭シート６を吸収性物品１に接触させない状態で被覆している。【選択図】図５
2008125839.tif 000002
【特許請求の範囲】
【請求項１】
肌当接面、非肌当接面及びこれらの間に介在する吸収層を具備する吸収性物品を、清拭シートと共に包装材によって包装してなる吸収性物品の包装構造であって、
前記包装材は、包装構造の内部において、前記吸収性物品の前記肌当接面又は前記非肌当接面を被覆すると共に、前記清拭シートを該吸収性物品に接触させない状態で被覆している吸収性物品の包装構造。
【請求項２】
前記包装材は、包装構造の外面を形成する包装シートと前記清拭シートを被覆する被覆シートとが接合一体化されて構成されている請求項１記載の吸収性物品の包装構造。
【請求項３】
前記被覆シートは、前記清拭シートを収納し得る収納袋を形成している請求項２記載の吸収性物品の包装構造。
【請求項４】
前記収納袋は、折り畳まれた前記被覆シートの周縁部の全部又は一部を封止することにより形成されている
【請求項５】
前記被覆シートは、前記吸収性物品の肌当接面側に位置している請求項２記載の吸収性物品の包装構造。
【請求項６】
前記被覆シートは、前記吸収性物品の非肌当接面側と前記包装シートとの間に位置している請求項２記載の吸収性物品の包装構造。
【発明の詳細な説明】
【技術分野】
【０００１】
本発明は、生理用ナプキン等の吸収性物品を清拭シートと共に包装材によって包装してなる吸収性物品の包装構造に関する。
【背景技術】
【０００２】
生理用ナプキン、パンティライナー（おりものシート）、使い捨ておむつ等の吸収性物品は、多くの場合、１個ごと包装材によって個装されて市販されている。
ところで、吸収性物品の着用前に、着用者の肌に付着した排泄物や経血を清拭シートで拭き取ることが行われているが、その際、清拭シートを別途用意する必要があり、不便であった。
【０００３】
このような不便を解消するために、包装材からなる包装袋の中に、吸収性物品（使い捨ておむつ）と共に清拭シート（ウエットティッシュ）を同梱する技術が開示されている（例えば、下記特許文献１参照）。特許文献１記載の技術においては、清拭シートは、シートからなる収納袋に被覆された状態で、前記包装袋に収納されている。
【０００４】
【特許文献１】実開平２−１１２３号公報
【発明の開示】
【発明が解決しようとする課題】
【０００５】
しかし、特許文献１記載の技術においては、清拭シートの収納袋は、清拭シートの収納のみに用いられており、吸収性物品の包装に活用されておらず、十分に活用されてはいない。また、個々の製品（又は個別の包装形態）を持ち出して使用する場合には、包装袋ごと持ち歩くことは通常なく、清拭シートを別途持たなければならなかったため、清拭シートを持ち出すことを忘れたり、持ち出しを躊躇することがあり、実際に使用されないことがあった。
【０００６】
従って、本発明の目的は、吸収性物品を清拭シートと共に包装材によって包装してなる吸収性物品の包装構造において、清拭シートを被覆するシートを、吸収性物品の包装に活用することができる吸収性物品の包装構造を提供することにある。
【課題を解決するための手段】
【０００７】
本発明は、肌当接面、非肌当接面及びこれらの間に介在する吸収層を具備する吸収性物品を、清拭シートと共に包装材によって包装してなる吸収性物品の包装構造であって、前記包装材は、前記肌当接面又は前記非肌当接面を被覆するものであり、前記包装材は、包装構造の内部において、前記清拭シートを前記吸収性物品に接触させない状態で被覆している吸収性物品の包装構造を提供することにより、上記の目的を達成したものである。
【発明の効果】
【０００８】
本発明の吸収性物品の包装構造によれば、吸収性物品を清拭シートと共に包装材によって包装してなる吸収性物品の包装構造において、清拭シートを被覆するシートを、吸収性物品の包装に活用することができる。
【発明を実施するための最良の形態】
【０００９】
以下、本発明の吸収性物品の包装構造を、その好ましい一実施形態である第１実施形態に基づき図面を参照しながら説明する。
本発明の吸収性物品の包装構造は、図１に示すように、肌当接面、非肌当接面及びこれらの間に介在する吸収層を具備する吸収性物品１を、清拭シート（図示せず）と共に包装材３によって包装してなる吸収性物品の包装構造１０である。包装材３は、包装構造１０の内部において、吸収性物品１の前記肌当接面又は前記非肌当接面を被覆すると共に、前記清拭シートを吸収性物品１に接触させない状態で被覆している。
【００１０】
ここでいう「肌当接面」及び「非肌当接面」には、吸収性物品の外面を形成するシート材の表面のみならず、該シート材に設けられた各種粘着剤も含まれる。後述する各実施形態における説明から明らかなように、また、吸収性物品の肌当接面及び非肌当接面を被覆する部材（主としてシート材）であれば、該部材は、何れも本発明における「包装材」に該当する。包装材は、複数の部材から構成されていてもよく、この場合、複数の部材は接合されていることが好ましいが、接合されていなくてもよい。
【００１１】
本発明の第１実施形態の吸収性物品の包装構造は、図１に示すように、生理用ナプキン１を包装材３により個別に包装してなる生理用ナプキンの包装構造１０である。
本実施形態における生理用ナプキン１（以下、ナプキン１ともいう）は、図２及び図３に示すように、肌当接面を構成する表面シート１２、非肌当接面を構成する裏面シート１３及びこれらの間に介在する吸収層としての液保持性の吸収体（図示せず）を具備し、実質的に縦長の形状を有している。
ナプキン１は、図３に示すように、長手方向の一端部から他端部に向かって順に、着用時に着用者の腹部寄りの位置に配される前方部Ａ、着用者の液排泄部に対向配置される排泄部対向部Ｂ及び着用者の背中寄りの位置に配される後方部Ｃを有している。
【００１２】
ナプキン１は、その幅方向の中央部分に、表面シート１２、前記吸収体及び裏面シート１３がこの順に積層された構成の吸収性本体１５を有し、吸収性本体１５の左右両側に、前記吸収体の両側縁から延出した表面シート１２及び裏面シート１３によって形成されたフラップ部を有している。
前記フラップ部は、排泄部対向部Ｂにおいてナプキン１の幅方向の外方に向かって大きく張り出しており、これにより吸収性本体１５の左右両側に、一対のウイング部１６，１６が形成されている。
【００１３】
また、前記フラップ部は、後方部Ｃにおいてもナプキン１の幅方向の外方に向かって大きく張り出しており、これにより吸収性本体１５の左右両側に、一対の後部フラップ部１７，１７が形成されている。
ナプキン１は、その長手方向において、ウイング部１６と後部フラップ部１７との間が幅狭に括れている。
【００１４】
「肌当接面」は、吸収性物品（生理用ナプキン）１を平面状に拡げた状態においては、吸収性物品における着用時に着用者の肌側に向けられる面（図２において手前側に位置する面）であり、吸収性本体１５における表面シート１２側の面のみならず、ウイング部１６における表面シート１２側の面や後部フラップ部１７における表面シート１２側の面も含まれる。
ただし、包装構造の形成時において、ウイング部１６及び後部フラップ１７を吸収性本体１５における表面シート１２側の面に折り返した状態では、折り返されたウイング部１６及び後部フラップ１７における裏面シート１３側の面が、「肌当接面」に該当する。
【００１５】
「非肌当接面」は、着用時にショーツ等の下着側に向けられる面（図３において手前側に位置する面）であり、吸収性本体１５における裏面シート１３側の面のみならず、ウイング部１６における裏面シート１３側の面や後部フラップ部１７における裏面シート１３側の面も含まれる。
【００１６】
吸収性本体１５における裏面シート１３側の面には、図３に示すように、粘着剤の塗工により形成された本体粘着部２１が設けられている。本体粘着部２１は、ナプキン１をショーツ等の下着に固定するものであり、ナプキン１の長手方向を長辺とする長方形状に形成されている。本体粘着部２１は、ナプキンの長手方向の全長に対して６０〜９０％程度の長さに亘って連続的に形成されている。
【００１７】
ウイング部１６における裏面シート１３側の面には、粘着剤の塗工により形成されたウイング部粘着部２２が設けられている。ウイング部１６は、ナプキン１をショーツ等の下着に固定する際に、裏面シート１３側に折り曲げられ、ウイング部粘着部２２を介してショーツ等の下着の非肌対向面に粘着固定される。
後部フラップ１７における裏面シート１３側の面には、粘着剤の塗工により形成されたフラップ粘着部２３が設けられている。後部フラップ部１７は、ナプキン１をショーツ等の下着に固定する際に、吸収性本体１５の側方に延ばされた状態で、フラップ粘着部２３を介してショーツ等の下着の肌対向面に粘着固定される。
【００１８】
次に包装材３について説明する。包装材３は、図２に示すように、包装構造１０の外面を形成する包装シート４と、清拭シート６を被覆する被覆シート５とが接合一体化されて構成されている。
包装シート４は、包装材３の主体となるシートであり、包装構造１０の外面を形成する形状及び大きさを有している。本実施形態においては、吸収性本体１５よりも大きく且つ吸収性本体１５の長手方向に長い長方形状のシートである。
被覆シート５は、清拭シート６を被覆するシートであり、清拭シート６を被覆し得る形状及び大きさを有している。本実施形態においては、折り畳んだ被覆シート５の間に清拭シート６を挟持して被覆し得る長方形状のシートである。
【００１９】
本実施形態においては、包装シート４の長手方向一端部の内面（包装構造における内面。ナプキン１に当接する面）又は外面（包装構造における外面）に、被覆シート５の長手方向一端部が接合されて、全体として、包装シート４の長さと被覆シート５の長さとの和とほぼ等しい長さを有する帯状の包装材３が形成されている。包装シート４と被覆シート５との接合には、ヒートシール、超音波シール、高周波シール、接着剤等の公知の接合手段が用いられる。
【００２０】
包装シート４としては、例えば、ポリプロピレン、低密度ポリエチレン、ポリビニルアルコール、不織布又は紙、及びこれらの複合材料、ＳＭＳ不織布を基材シートとして、片面又は両面に剥離処理を施したもの等を用いることができる。剥離処理は、基材シートの全面に施してもよく、本体粘着部２１を被覆する部分のみに施してもよい。剥離処理としては、例えば、シリコーン樹脂系のものを塗布して加熱や紫外線処理により皮膜化する方法、スプレーによる吹き付けや各種コーターによる薄い皮膜を形成させる方法等を挙げることができる。
【００２１】
被覆シート５としては、例えば、紙や樹脂フィルム等からなる基材シートの片面又は両面に剥離処理を施したもの等を用いることができる。剥離処理としては、例えば、前述の包装シート４の剥離処理を挙げることができる。
【００２２】
清拭シート６は、湿式（ウエットタイプ）の清拭シートでもよく、乾式（ドライタイプ）の清拭シートでもよいが、乾式の清拭シートでは被覆シート５により被覆する意義は少ないので、本発明においては湿式の清拭シートが好ましく用いられる。
乾式の清拭シートとしては、肌触り及び捕集性の良さの観点から、メルトブロー不織布や、水流等により繊維を分割又は破砕することで得られる、微小な空間構造を有するスパンレース不織布が好ましい。
【００２３】
また、湿式の清拭シートとしては、保液性を高める観点から、パルプ、レーヨン等のように界面活性剤によらずに元来水を捕集しやすい材料と、繊維や粒子状のバインダー成分とを配合したエアレイド不織布やエアスルー不織布、又は、微小な空間構造内に液を留め易いメルトブロー不織布やスパンレース不織布が好ましい。さらに、これらのシートは、そのまま水洗可能なように水崩壊性であることがより好ましい。水崩壊性の材料としては、バインダー成分としてカルボキシメチル化セルロースなどの水溶性又は水膨潤性材料を用いることが好ましい。
湿式の清拭シートの清浄用液剤として、水、アルコールの液体中にカルシウムやストロンチウムなどの金属イオンを含んでいるものを用いると、清拭シート中のバインダー成分の溶出を抑えることができ、シート強度を維持できる点から好ましい。
【００２４】
本体粘着部２１、ウイング部粘着部２２及びフラップ粘着部２３を形成する粘着剤としては、それぞれ、生理用ナプキン等の吸収性物品において粘着部を形成するのに従来から用いられている各種の粘着剤を特に制限なく用いることができる。本体粘着部２１、ウイング部粘着部２２及びフラップ粘着部２３を形成する粘着剤の種類は、同一であってもよく、異なっていてもよい。
【００２５】
他の部材の材料としては、従来から吸収性物品の包装構造に用いられている各種公知のものを用いることができる。例えば、表面シート１２としては、各種製法による不織布、樹脂フィルムに開孔を形成したもの、これらの積層体等を用いることができる。裏面シート１３としては、透湿性を有するか又は有さない熱可塑性樹脂のフィルム、撥水性の不織布、これらの積層体等を用いることができる。吸収体としては、吸収性物品における吸収体として従来から用いられているものを特に制限なく用いることができる。
【００２６】
本実施形態の包装構造１０は、下記のようにして得られる
先ず、図２に示すように、展開状態のナプキン１を、展開状態の包装材３上に載置する。ナプキン１は、その大部分が包装シート４上に載置され、後方部Ｃの一部が被覆シート５上に載置され、ウイング部１６及び後部フラップ１７の一部が包装材３から延出している。
次に、清拭シート６を、被覆シート５における包装シート４側の部分５１に載置する。清拭シート６は、必要に応じて、その一部を被覆シート５とナプキン１の非肌当接面との間に配置してもよく、また、折り畳んでもよい。
【００２７】
次に、図４に示すように、ウイング部１６及び後部フラップ１７を、それぞれ、吸収性本体１５の両側縁に沿って吸収性本体１５における表面シート１２側（肌当接面側）に折り返す。次いで、被覆シート５における自由端側の部分５２を、ナプキン１における肌当接面側に折り返す。その結果、清拭シート６は、折り返された被覆シート５によって、ナプキン１に接触しない状態で被覆される。折り返された被覆シート５の一部は、折り返された後部フラップ１７に折り重なる。
【００２８】
尚、ナプキン１は、ウイング部１６及び後部フラップ部１７にそれぞれウイング部粘着部２２及びフラップ粘着部２３を形成した後に、包装材３の上に載置してもよく、逆に、ナプキン１を包装材３の上に載置し、ウイング部１６及び後部フラップ部１７を折り返した後に、ウイング部１６及び後部フラップ部１７の所定領域にそれぞれ粘着剤を塗工して、ウイング部粘着部２２及びフラップ粘着部２３を形成してもよい。
【００２９】
次に、図５（ａ）に示すように、包装シート４を、折り畳まれた後部フラップ１７を長手方向に２つ折りして、清拭シート６を被覆している被覆シート５と共に、ナプキン１の肌当接面側に折り返す。次いで、図５（ｂ）に示すように、ナプキン１を、ウイング部１６と後部フラップ部１７との境界部付近において、包装材３と共に長手方向に折り返す。その結果、被覆シート５は、ナプキン１の肌当接面側に位置することになる。その後、ナプキン１を、排泄部対向部Ｂと前方部Ａとの境界部付近において、逆方向から包装材３の包装シート４と共に長手方向に折り返す。
【００３０】
このように折り畳むことにより、吸収性本体１５における裏面シート１３側に設けられた本体粘着部２１は、包装シート４によって被覆され、ウイング部１６における裏面シート１３側に設けられたウイング部粘着部２２は、被覆シート５における包装シート４側の部分５１によって被覆され、後部フラップ部１７における裏面シート１３側に設けられたフラップ粘着部２３は、被覆シート５における自由端側の部分５２によって被覆される。ナプキン１は、このようにして、長手方向に折り畳まれてコンパクトな形態となる。
【００３１】
そして、図１に示すように、折り畳まれた状態のナプキン１の両側縁から幅方向外方に延出する包装材３における包装シート４の両側部２５，２５を、エンボス加工等の公知の接合方法により封止すると共に、包装材３の他端部の所定箇所に公知のタブテープ２４を止着することにより、ナプキンの包装構造１０が得られる。
【００３２】
本実施形態の包装構造１０においてナプキン１を使用する際には、前述した包装構造を形成する手順とは逆の手順によって、包装材３からナプキン１及び清拭シート６を取り出すことができる。即ち、図１に示す包装構造の状態から、図２に示す展開状態を形成し、展開状態の包装材３からナプキン１を取り出すことができ、展開状態の被覆シート５から清拭シート６を取り出すことができる。
【００３３】
そして、例えば、展開状態のナプキン１を、ショーツのクロッチ部（図示せず）に載置し、吸収性本体１５を本体粘着部２１を介してクロッチ部上に固定する。次いで、ウイング部１６を、クロッチ部の両側縁に沿って折り曲げ、ウイング部粘着部２２を介してクロッチ部の非肌対向面に固定すると共に、後部フラップ部１７を、フラップ粘着部２３を介してクロッチ部の肌対向面に固定する。このようにナプキン１をショーツに装着して使用することができる。
【００３４】
以上の構成を有する第１実施形態の生理用ナプキンの包装構造１０によれば、包装時において、包装材３の被覆シート５は、ウイング部１６における裏面シート１３側に設けられたウイング部粘着部２２、及び後部フラップ部１７における裏面シート１３側に設けられたフラップ粘着部２３を被覆している。同時に、包装材３の被覆シート５は、清拭シート６をナプキン１に接触させない状態で被覆している。このように、清拭シート６を被覆している被覆シート５を、包装材３の一部として、ナプキン１の被覆にも活用することができる。
【００３５】
以下に、本発明の吸収性物品の包装構造の他の実施形態について、図面を参照しながら説明する。別の実施形態については、上述した第１実施形態の包装構造１０と異なる点を主として説明し、同様の点は同一の符号を付して説明を省略する。特に説明しない点は、包装構造の形成手順を含め、第１実施形態の包装構造１０についての説明が適宜適用される。他の実施形態においても、第１実施形態と同様の効果が奏される。
【００３６】
第２実施形態におけるナプキン１は、図６に示すように、第１実施形態におけるナプキン１に比して、後部フラップ１７を備えていない点が主として異なる。その他の構成については、第１実施形態におけるナプキン１と同様である。
第２実施形態における包装材３は、図６及び図７に示すように、第１実施形態における包装材３に比して、被覆シート５が清拭シート６を被覆する形態が異なる。具体的には、第２実施形態における包装材３の被覆シート５は、清拭シート６を収納し得る収納袋５３を形成している。本実施形態における収納袋５３は、折り畳まれた被覆シート５の側縁部を封止することにより形成されている。この封止には、例えばヒートシール、超音波シール、高周波シール、接着剤等の公知の接合手段が用いられる。
尚、収納袋５３は、本実施形態のように、被覆シート５の周縁部の一部を封止することにより形成されたものに制限されず、被覆シート５の周縁部の全部を封止することにより形成することができる。
【００３７】
本実施形態の包装構造１０は、下記のようにして得られる。
先ず、図６に示すように、展開状態のナプキン１を展開状態の包装材３における包装シート４上に載置する。第１実施形態に比して、ナプキン１の後端部は、包装シート４における被覆シート５側の端部よりも後退している。ナプキン１の後方部の側縁部は、包装シート４の側縁部よりも幅方向に後退している。
そして、清拭シート６を、被覆シート５における包装シート４側の部分５１に載置する。
【００３８】
次に、図７に示すように、ウイング部１６を吸収性本体１５の両側縁に沿って吸収性本体１５における表面シート１２側（肌当接面側）に折り返す。次いで、被覆シート５における自由端側の部分５２を、包装シート４の内面側に折り返す。そして、折り畳まれた被覆シート５の側縁部をシール部５３Ａによって封止することにより収納袋５３を形成する。収納袋５３における包装シート４側は封止されていない。
【００３９】
尚、ナプキン１は、ウイング部１６にウイング部粘着部２２を形成した後に、包装材３の上に載置してもよく、逆に、ナプキン１を包装材３の上に載置し、ウイング部１６を折り返した後に、ウイング部１６の所定領域にそれぞれ粘着剤を塗工して、ウイング部粘着部２２を形成してもよい。
【００４０】
次に、図８に示すように、包装シート４における被覆シート５側の部分を折り返し、収納袋５３をナプキン１の肌当接面側に折り重ねる。そして、ナプキン１を、排泄部対向部Ｂと前方部Ａとの境界部付近において、逆方向から包装材３の包装シート４と共に長手方向に折り返す。
【００４１】
このように折り畳むことにより、吸収性本体１５における裏面シート１３側に設けられた本体粘着部２１は、包装シート４によって被覆され、ウイング部１６における裏面シート１３側に設けられたウイング部粘着部２２は、収納袋５３（被覆シート５）における包装シート４側の部分５１によって被覆される。ナプキン１は、このようにして、長手方向に折り畳まれてコンパクトな形態となる。
【００４２】
そして、折り畳まれた状態のナプキン１の両側縁から幅方向外方に延出する包装材３における包装シート４の両側部２５，２５を、エンボス加工等の公知の接合方法により封止すると共に、包装材３の他端部の所定箇所に公知のタブテープ２４を止着することにより、ナプキンの包装構造１０が得られる（図１参照）。
【００４３】
本実施形態の包装構造１０においてナプキン１を使用する際には、前述した包装構造を形成した手順とは逆の手順によって、包装材３からナプキン１及び清拭シート６を取り出すことができる。即ち、包装構造の状態（図１参照）から、図７に示す展開状態を形成し、更に図６に示すように、収納袋５３の側縁部のシール部５３Ａを剥がして、被覆シート５を展開する。その結果、展開状態の包装材３からナプキン１を取り出すことができ、展開状態の被覆シート５から清拭シート６を取り出すことができる。
【００４４】
第２実施形態の生理用ナプキンの包装構造１０によれば、第１実施形態と同様の効果が奏される。また、清拭シート６を収納袋５３に収納して被覆しているため、清拭シート６の被覆が一層確実である。
【００４５】
第３実施形態の包装構造１０は、図９に示すように、第２実施形態に比して、清拭シート６を被覆する収納袋５３が、既製の樹脂袋からなる点が主として異なる。収納袋５３はその３辺が封止され、その１辺に開口部５３Ｃが設けられている。開口部５３Ｃは、凸レールと凹レールとの嵌合による封止手段により、封止開封自在となっている。従って、収納袋５３によれば、清拭シート６を密封状態で収納して被覆することができる。収納袋５３は、包装シート４の外面側の長手方向一端部に接合されている。
【００４６】
本実施形態の包装構造１０は、下記のようにして得られる。
先ず、展開状態のナプキン１を展開状態の包装材３における包装シート４上に載置する（図示せず）。
次に、清拭シート６を、図９に示すように、収納袋５３に収納する。そして、図１０に示すように、収納袋５３を、清拭シート６と共に、包装シート４の長手方向に沿って２つ折りする。この際、収納袋５３に設けられた粘着部５３Ｂによって収納袋５３の２つ折り状態を維持する。
次に、図１１に示すように、ウイング部１６を吸収性本体１５の両側縁に沿って吸収性本体１５における表面シート１２側（肌当接面側）に折り返す。
【００４７】
尚、ナプキン１は、ウイング部１６にウイング部粘着部２２を形成した後に、包装材３の上に載置してもよく、逆に、ナプキン１を包装材３の上に載置し、ウイング部１６を折り返した後に、ウイング部１６の所定領域にそれぞれ粘着剤を塗工して、ウイング部粘着部２２を形成してもよい。
【００４８】
次に、ナプキン１の後端部付近を被覆するように、収納袋５３とは別の素材からなる剥離紙５４を載置し、剥離紙５４を包装シート４における長手方向一端部に接合する。
【００４９】
次に、図１２に示すように、包装シート４における剥離紙５４側の部分を折り返し、剥離紙５４をナプキン１の肌当接面側に折り重ねる。そして、ナプキン１を、排泄部対向部Ｂと前方部Ａとの境界部付近において、逆方向から包装材３の包装シート４と共に長手方向に折り返す。
【００５０】
このように折り畳むことにより、吸収性本体１５における裏面シート１３側に設けられた本体粘着部２１は、包装シート４によって被覆され、ウイング部１６における裏面シート１３側に設けられたウイング部粘着部２２は、剥離紙５４によって被覆される。ナプキン１の前方部Ａの肌当接面は、折り畳まれた収納袋５３及び包装シート４の外面により被覆される。ナプキン１は、このようにして、長手方向に折り畳まれてコンパクトな形態となる。
【００５１】
そして、折り畳まれた状態のナプキン１の両側縁から幅方向外方に延出する包装材３における包装シート４の両側部２５，２５を、エンボス加工等の公知の接合方法により封止すると共に、包装材３の他端部の所定箇所に公知のタブテープ２４を止着することにより、ナプキンの包装構造１０が得られる（図１参照）。
【００５２】
本実施形態の包装構造１０においてナプキン１を使用する際には、前述した包装構造を形成した手順とは逆の手順によって、包装材３からナプキン１及び清拭シート６を取り出すことができる。即ち、包装構造の状態（図１参照）から、図９に示す展開状態を形成する。その結果、展開状態の包装材３からナプキン１を取り出すことができ、収納袋５３の開口部５３Ｃを開封して収納袋５３から清拭シート６を取り出すことができる。
【００５３】
第３実施形態の生理用ナプキンの包装構造１０によれば、第２実施形態と同様の効果が奏される。また、清拭シート６を収納袋５３に密封状態で収納して被覆しているため、清拭シート６の被覆が一層確実である。
【００５４】
第４実施形態の包装構造１０は、図１３及び図１４に示すように、第３実施形態に比して、清拭シート６が、被覆シート５に被覆された状態で、ナプキン１の非肌当接面と包装シート４の内面との間に配設されている点が主として異なる。被覆シート５は、清拭シート６と包装シート４の内面との間に配設された第１被覆シート５５Ａと、清拭シート６とナプキン１の非肌当接面との間に配設された第２被覆シート５５Ｂ（図１４参照）とからなる。第１被覆シート５５Ａは、包装シート４の内面に接合されており、清拭シート６の両側縁部を被覆するように、折り返されている。第２被覆シート５５Ｂは、清拭シート６におけるナプキン１との対向面側を被覆するように、第１被覆シート５５Ａにおける折り返された部分に接合されている（図示せず）。
【００５５】
本実施形態の包装構造１０は、下記のようにして得られる。
先ず、図１３に示すように、展開状態の包装シート４に第１被覆シート５５Ａを接合した後、第１被覆シート５５Ａに清拭シート６を載置する。次に、第１被覆シート５５Ａを、清拭シート６の両側縁部を被覆するように折り返す。次いで、第２被覆シート５５Ｂを第１被覆シート５５Ａにおける折り返された部分に接合し、清拭シート６におけるナプキン１との対向面側を被覆する（図示せず）。
【００５６】
次に、展開状態のナプキン１を、展開状態の包装材３における第２被覆シート５５Ｂ又は包装シート４上に載置する（図示せず）。ここで、第２被覆シート５５Ｂは、ナプキン１の非肌当接面における本体粘着部２１の一部又は全部を被覆する。
次いで、図１４に示すように、ウイング部１６を吸収性本体１５の両側縁に沿って吸収性本体１５における表面シート１２側（肌当接面側）に折り返す。
【００５７】
尚、ナプキン１は、ウイング部１６にウイング部粘着部２２を形成した後に、包装材３の上に載置してもよく、逆に、ナプキン１を包装材３の上に載置し、ウイング部１６を折り返した後に、ウイング部１６の所定領域にそれぞれ粘着剤を塗工して、ウイング部粘着部２２を形成してもよい。
また、ナプキン１の後端部付近を被覆するように、収納袋５３とは別の素材からなる剥離紙５４を載置し、剥離紙５４を包装シート４における長手方向一端部に接合する。
【００５８】
次に、図１５に示すように、包装シート４における剥離紙５４側の部分を折り返し、剥離紙５４をナプキン１の肌当接面側に折り重ねる。そして、ナプキン１を、排泄部対向部Ｂと前方部Ａとの境界部付近において、逆方向から包装材３の包装シート４と共に長手方向に折り返す。
【００５９】
このように折り畳むことにより、吸収性本体１５における裏面シート１３側に設けられた本体粘着部２１は、第２被覆シート５５Ｂのみによって又は包装シート４及び第２被覆シート５５Ｂによって被覆され、ウイング部１６における裏面シート１３側に設けられたウイング部粘着部２２は、剥離紙５４によって被覆される。ナプキン１は、このようにして、長手方向に折り畳まれてコンパクトな形態となる。
【００６０】
そして、折り畳まれた状態のナプキン１の両側縁から幅方向外方に延出する包装材３における包装シート４の両側部２５，２５を、エンボス加工等の公知の接合方法により封止すると共に、包装材３の他端部の所定箇所に公知のタブテープ２４を止着することにより、ナプキンの包装構造１０が得られる（図１参照）。
【００６１】
本実施形態の包装構造１０においてナプキン１を使用する際には、前述した包装構造を形成した手順とは逆の手順によって、包装材３からナプキン１及び清拭シート６を取り出すことができる。即ち、包装構造の状態（図１参照）から、図１３に示す状態を形成する。その結果、展開状態の包装材３からナプキン１を取り出すことができ、第１被覆シート５５Ａから清拭シート６を取り出すことができる。
【００６２】
第４実施形態の生理用ナプキンの包装構造１０によれば、第１実施形態と同様の効果が奏される。
【００６３】
第５実施形態の包装構造については、被覆シート５による清拭シート６の被覆形態を中心に説明する。第５実施形態の包装構造においては、図１６〜図１９に示すように、第４実施形態に比して、１枚の被覆シート５における両側部にそれぞれＺ折りを形成することにより、清拭シート６の被覆形態を形成している点が主として異なる。
【００６４】
被覆シート５は、図１６に示すように、清拭シート６の幅よりも十分に広い幅を有しており、その幅方向中央部に、清拭シート６が載置される。その結果、清拭シート６の下面は被覆シート５によって被覆される。被覆シート５の幅方向両側部は、図１７及び図１８に示すように、それぞれ清拭シート６の上面側にＺ折りされる。このＺ折りにおける折り返した内端部は、清拭シート６の上面において重なり、その結果、清拭シート６の上面も被覆シート５によって被覆される。
【００６５】
上述のＺ折りされた被覆シート５による清拭シート６の被覆形態は、更に、図１９に示すように、清拭シート６の長手方向に沿って折り畳まれる。被覆シート５の両端部は、図１９に示すように重なっていることが好ましい。そして、被覆シート５の両端部は、止着テープ５６によって封止される。
このような形態で清拭シート６を被覆した被覆シート５は、例えば、第４実施形態と同様に、ナプキン１の非肌当接面と包装シート４の内面との間に配設されていてもよく、また、ナプキン１の肌当接面に当接された形態で配設されていてもよい。
また、被覆シート５は、包装シート４に接合されていてもよく、接合されていなくてもよい。
【００６６】
本実施形態の包装構造１０においては、清拭シート６を被覆している被覆シート５（図１９参照）を図１６に示す形態に展開した後、被覆シート５から清拭シート６を取り出すことができる。
【００６７】
第５実施形態の生理用ナプキンの包装構造１０によれば、第４実施形態と同様の効果が奏される。
【００６８】
本発明の吸収性物品の包装構造は、上記の実施形態に制限されるものではなく、本発明の趣旨を逸脱しない範囲において種々変形可能である。
例えば、ウイング部１６及び後部フラップ部１７は、吸収性本体１５の構成部材（表面シート１２、裏面シート１３等）を延出させて形成されたものに代えて、別材を吸収性本体１５に固定して形成することもできる。ウイング部１６及び／又は後部フラップ部１７を設けられていなくてもよい。
また、本体粘着部２１は、ナプキン１の長手方向及び／又は幅方向において複数に分割されていてもよい。
【００６９】
包装シート４及び被覆シート５の形状は、長方形、正方形、台形、六角形、楕円形等とすることができる。
また、上述した一の実施形態における説明省略部分及び一の実施形態のみが有する要件は、それぞれ他の実施形態に適宜適用することができ、また、各実施形態における要件は、適宜、実施形態間で相互に置換可能である。
本発明における吸収性物品は、生理用ナプキンの他、パンティライナー（おりものシート）、失禁パッド等の他の吸収性物品であってもよい。
【図面の簡単な説明】
【００７０】
【図１】図１は、本発明の第１実施形態である生理用ナプキンの包装構造を示す斜視図である。
【図２】図２は、図１に示す包装構造の展開状態を、ナプキン側から見た状展開図である。
【図３】図３は、図２に示す包装構造における生理用ナプキンの裏面シート側の面（非肌当接面）を示す底面図である。
【図４】図４は、図２に示す包装構造の展開状態から、ウイング部等を折り畳んだ状態を示す図である。
【図５】図５（ａ）及び図５（ｂ）は、図４に示す状態から包装材をナプキンと共に順次折り畳む過程を示す斜視図である。
【図６】図６は、本発明の第２実施形態の生理用ナプキンの包装構造の展開状態を、ナプキン側から見た展開図である。
【図７】図７は、図６に示す包装構造の展開状態から、ウイング部等を折り畳んだ状態を示す図である。
【図８】図８は、図７に示す状態から包装材をナプキンと共に順次折り畳む過程を示す斜視図である。
【図９】図９は、本発明の第３実施形態の生理用ナプキンの包装構造の展開状態を、包装材の外面側から見た展開図である。
【図１０】図１０は、図９に示す包装構造の展開状態から、収納袋を折り畳んだ状態を示す図である。
【図１１】図１１は、本発明の第３実施形態の生理用ナプキンの包装構造の展開状態を、ナプキン側から見た展開図である。
【図１２】図１２は、図１１に示す状態から包装材をナプキンと共に順次折り畳む過程を示す斜視図である。
【図１３】図１３は、本発明の第４実施形態の生理用ナプキンの包装構造における包装材の展開状態を、その内面側から見た展開図である。
【図１４】図１４は、本発明の第４実施形態の生理用ナプキンの包装構造の展開状態を、ナプキン側から見た展開図である。
【図１５】図１５は、図１４に示す状態から包装材をナプキンと共に順次折り畳む過程を示す斜視図である。
【図１６】図１６は、本発明の第５実施形態の生理用ナプキンの包装構造における被覆シートの展開状態を、その内面側から見た展開図である。
【図１７】図１７は、図１６に示す被覆シートを折り畳み、清拭シートを被覆した状態を示す平面図である。
【図１８】図１８は、図１７に示すＸ−Ｘ線断面図である。
【図１９】図１９は、図１７に示す状態から更に被覆シートを長手方向に折り畳んだ状態を示す側面図である。
【符号の説明】
【００７１】
１  生理用ナプキン（吸収性物品）
１０  生理用ナプキンの包装構造（吸収性物品の包装構造）
１２  表面シート
１３  裏面シート
１５  吸収性本体
１６  ウイング部
１７  後部フラップ部
２１  本体粘着部
２２  ウイング部粘着部
２３  フラップ粘着部
３  包装材
４  包装シート
５  被覆シート
５３  収納袋
Ａ    前方部
Ｂ    排泄部対向部
Ｃ    後方部
【図１】
2008125839.tif 000003
【図２】
2008125839.tif 000004
【図３】
2008125839.tif 000005
【図４】
2008125839.tif 000006
【図５】
2008125839.tif 000007
【図６】
2008125839.tif 000008
【図７】
2008125839.tif 000009
【図８】
2008125839.tif 000010
【図９】
2008125839.tif 000011
【図１０】
2008125839.tif 000012
【図１１】
2008125839.tif 000013
【図１２】
2008125839.tif 000014
【図１３】
2008125839.tif 000015
【図１４】
2008125839.tif 000016
【図１５】
2008125839.tif 000017
【図１６】
2008125839.tif 000018
【図１７】
2008125839.tif 000019
【図１８】
2008125839.tif 000020
【図１９】
2008125839.tif 000021